(57)【要約】【課題】本発明は、ディーゼルエンジンをより長期間安定的に運転するための軽油組成物であり、燃料噴射装置により燃料温度が上昇しても腐食性を極力抑制することができ、精密な燃焼制御をより長期間可能にする軽油組成物を提供することを目的とする。【解決手段】全硫黄分が１０質量ｐｐｍ以下、該全硫黄分の内、メルカプタン類の硫黄分が２質量ｐｐｍ以下であり、かつｎ−デシルメルカプタン（１−デカンチオール）より重質でジベンゾチオフェンより軽質な硫黄化合物の硫黄分が０．４質量ｐｐｍ以下である軽油組成物。【選択図】なし【特許請求の範囲】
【請求項１】
全硫黄分が１０質量ｐｐｍ以下であり、該全硫黄分の内、メルカプタン類の硫黄分が２質量ｐｐｍ以下であり、かつｎ−デシルメルカプタン（１−デカンチオール）より重質でジベンゾチオフェンより軽質な硫黄化合物の硫黄分が０．４質量ｐｐｍ以下であることを特徴とする軽油組成物。
【発明の詳細な説明】
【技術分野】
【０００１】
本発明は、軽油組成物に関する。詳しくは、主にディーゼルエンジンの燃料に用いられる軽油組成物に関する。さらに詳しくは、燃料噴射系統の腐食を抑制し、環境への影響を低減するための精密な運転制御を、より長期間持続することを可能にする軽油組成物に関する。
【背景技術】
【０００２】
ディーゼル自動車の排出ガス規制は年々厳しくなっており、自動車メーカーは様々な技術で規制値をクリアしようとしている。これらの技術の中で、最も多く採用されているのが、コモンレール式燃料噴射装置と呼ばれる蓄圧装置を備えた燃料高圧噴射である。この装置は、高圧噴射での軽油液滴の微粒化による粒子状物質の低減ばかりではなく、１サイクル中に燃料噴射を複数回行うことが可能であり、最適な噴射時期と噴射回数などが精密に電子制御されている。
しかし、コモンレール式燃料噴射装置では、蓄圧装置で燃料が高圧になることと、蓄圧装置自体がエンジンに直結されているため、燃料温度がかなり上昇する。さらに従来の機械式噴射装置と比較して、噴射されずに燃料タンクへ戻る燃料量がかなり多いことから、燃料タンク内での燃料温度も上昇する（非特許文献１）。
燃料温度が上昇すると、軽油の熱安定性が問題となる可能性があり、長期間使用する間に燃料噴射弁や燃料ポンプなどの劣化が生じ、電子制御による精密な燃料噴射が不可能になる恐れがある。
【非特許文献１】石坂一義、「コモンレール式ディーゼル燃料噴射装置」、トヨタ技術公開集、１６３０３、２００４年
【発明の開示】
【発明が解決しようとする課題】
【０００３】
軽油組成物の安定性や腐食性を規定するＪＩＳ規格は存在しないが、一般的には安定性は色相で管理されており、酸価等も転用できると考えられる。また、軽油組成物のエンジン材質に対する腐食性を評価する手法としては、ガソリンや灯油に使用する５０℃で３時間の銅板腐食が転用できると考えられる。しかし、これらの評価方法は、従来の機械式燃料噴射装置の時代に開発されたものであり、コモンレール式燃料噴射装置のように燃料温度が上昇するケースに対しては精度の点で必ずしも十分とはいえない。また、上記指標に基づいて良好な安定性を有すると評価された軽油組成物であっても、ディーゼルエンジンの長期間の使用に伴い燃料噴射装置の運転が不安定になる可能性がある。これは、上記指標は軽油組成物の性状を評価するものであって、軽油組成物の安定性や腐食性に関与する直接の要因を見極めたものではないためである。
【０００４】
本発明は、ディーゼルエンジンをより長期間安定的に運転するための軽油組成物であり、燃料噴射装置により燃料温度が上昇しても腐食性を極力抑制することができ、精密な燃焼制御をより長期間可能にする軽油組成物を提供することを目的とする。
【課題を解決するための手段】
【０００５】
本発明者らは、上記従来技術の問題点を解決し、上記目的を達成すべく鋭意研究した結果、軽油中の硫黄分の中でも、メルカプタン類の硫黄分と、ｎ−デシルメルカプタン（１−デカンチオール）より重質でジベンゾチオフェンより軽質な硫黄化合物の硫黄分とが、ディーゼルエンジンの燃料噴射系統における腐食作用に影響を及ぼしうることを知見し、これら硫黄分を特に選択的に低減することによって、燃料油の温度が上昇しても腐食性を低減できて上記目的を達成できることを見出し、本発明を完成するに至った。
【０００６】
すなわち本発明は、全硫黄分が１０質量ｐｐｍ以下、該全硫黄分の内、メルカプタン類の硫黄分が２質量ｐｐｍ以下であり、かつｎ−デシルメルカプタン（１−デカンチオール）より重質でジベンゾチオフェンより軽質な硫黄化合物の硫黄分が０．４質量ｐｐｍ以下であることを特徴とする軽油組成物を提供する。
【発明の効果】
【０００７】
本発明の、全硫黄分、該全硫黄分の内のメルカプタン類の硫黄分、及びｎ−デシルメルカプタン（１−デカンチオール）より重質でジベンゾチオフェンより軽質な硫黄化合物の硫黄分をそれぞれ一定値以下に管理した軽油組成物は、ディーゼルエンジンにおいて、燃料噴射装置により燃料温度が上昇しても、より長期間腐食性を抑制できる。その結果、より長期間精密な燃焼制御を可能にし、燃焼状態や排出ガス組成への悪影響を極力低減できて、ディーゼルエンジンをより長期間安定的に運転することができる。
【発明を実施するための最良の形態】
【０００８】
以下に、本発明を詳細に説明する。
本発明の軽油組成物の全硫黄分含有量は、ＰＭ排出量の抑制、及び特に排出ガス後処理装置を装着したエンジンにおける環境負荷の低減効果を長期間保持するために、１０質量ｐｐｍ以下とする（ＰＭとはＰａｒｔｉｃｌｅ  Ｍａｔｔｅｒの略で、ディーゼルエンジンの排気ガス起源の粒子状物質をいう）。なお、本発明でいう全硫黄分とは、ＪＩＳ  Ｋ２５４１に準拠して測定した値である。また、ここでいう全硫黄分とは、例えば硫化水素、メルカプタン類、硫化アルキル類、環状硫化物、チオフェン類等の軽油組成物に含有されている全ての硫黄分を意味する。
【０００９】
また、本発明の軽油組成物では、メルカプタン類の硫黄分は、２質量ｐｐｍ以下、好ましくは１質量ｐｐｍ以下である。本発明でいうメルカプタン類の硫黄分とは、本出願人の出願に係る特願２００５−２６５５９８号の明細書に記載の方法により測定した値である。この方法は、石油系燃料油中のメルカプタン硫黄分の濃度を定量分析するための電位差滴定によるメルカプタン硫黄分試験方法において、用いる硝酸銀滴定液の濃度を０．０００５〜０．００５ｍｏｌ／Ｌとし、且つ試料のはかり採り量を５０〜５００ｍＬとして電位差滴定を行い、該電位差滴定で測定された前記硝酸銀滴定液の滴定量からメルカプタン硫黄分の濃度を算出する石油系燃料油のメルカプタン硫黄分試験方法である。
本発明の軽油組成物においては、メルカプタン類の硫黄分は少ないほど好ましいが、メルカプタン類の硫黄分が２質量ｐｐｍ以下であれば、燃料噴射系統で腐食が発生する可能性が低下する。その結果、環境への影響を低減するための精密な運転制御をより長時間持続することが可能になる。なお、ここでいう燃料噴射系統とは、燃料タンク、燃料フィルター、燃料ポンプ、コモンレール、燃料噴射弁、及びこれらを繋ぐ配管の総称である。
【００１０】
さらに、本発明の軽油組成物では、ｎ−デシルメルカプタン（１−デカンチオール）より重質でジベンゾチオフェンより軽質な硫黄化合物の硫黄分は、０．４質量ｐｐｍ以下、好ましくは０．１質量ｐｐｍ以下である。本発明でいうｎ−デシルメルカプタン（１−デカンチオール）より重質でジベンゾチオフェンより軽質な硫黄化合物の硫黄分は、化学発光によって硫黄化合物を選択的に検出、定量するＡＮＴＥＫ製硫黄化学発光検出器を備えた島津製作所製ガスクロマトグラフ装置を用いて、ガスクロマトグラフ法で測定される。ここで、ｎ−デシルメルカプタンとジベンゾチオフェンを標準硫黄化合物として、硫黄分が検出されないＨＰＬＣ用イソオクタンに溶解したものを予め測定し、ピークの位置を求めておく。その後、試料を測定し、ｎ−デシルメルカプタンとジベンゾチオフェンのピークの位置の中間にあるピークの総面積で定量した。
ガスクロマトグラフの測定条件は、４０℃で１分保持した後、１０℃／分で３００℃まで昇温し、３００℃で３分保持した。また、使用したカラムは、ポリジメチルシロキサンをコーティングしたキャピラリータイプで、長さ３０ｍ、内径０．３２ｍｍ、膜厚１．０μｍを使用した。
ｎ−デシルメルカプタン（１−デカンチオール）より重質でジベンゾチオフェンより軽質な硫黄化合物の硫黄分が、０．４質量ｐｐｍ以下であれば、コモンレール式の燃料噴射系統で腐食が発生する可能性が低下し、環境への影響を低減するための精密な運転制御をより長期間持続することが可能になる。
【００１１】
本発明の軽油組成物は、ＪＩＳ  Ｋ２２０４でいう所謂、特１号、１号、２号、３号、特３号軽油全般に適合させることができる。
【００１２】
本発明の軽油組成物の色相、酸価、５０℃で３時間の銅板腐食等の、軽油組成物の安定性や腐食性の評価に転用できる性状は、従来の軽油組成物の性状と同等であっても差支えない。本発明の軽油組成物におけるこれらの各性状は、一般に、色相は−１６以上（セーボルト色、ＪＩＳ  Ｋ２５８０）、または１．５以下（ＡＳＴＭ色、ＪＩＳ  Ｋ２５８０）、酸価は０．０２以下（中和価、ＪＩＳ  Ｋ２５０１）、５０℃、３時間での銅板腐食は２未満（銅板腐食、ＪＩＳ  Ｋ２５１３）であることが好ましい。本発明の軽油組成物はさらに、１４９℃で２４時間の銅板腐食試験の判定値が４未満であることが好ましい。かかる試験は、過熱浴の温度を１４９℃に設定し、試料と銅板を加熱浴に浸す時間を２４時間とする以外はＪＩＳ  Ｋ２５１３に準拠した値である。従来のＪＩＳ  Ｋ２５１３の５０℃、３時間での銅板腐食よりも苛酷な条件とする事で、エンジン上部に設置されて、輻射熱で１００℃を超えると考えられる環境下にあるコモンレール内での軽油組成物の腐食性を、加速的に評価したものである。
【００１３】
本発明の軽油組成物の製造方法は、前記した性状を満足する限り特に制限されない。例えば、本発明の軽油組成物は、直留軽油（ＬＧＯ）及び／又は軽質減圧軽油（ＬＶＧＯ）を、Ｃｏ−Ｍｏ、Ｎｉ−Ｍｏ、Ｎｉ−Ｃｏ−Ｍｏ触媒等の触媒の存在下で、３〜１２ＭＰａ、好ましくは７〜１０ＭＰａの圧力下、３００〜４００℃、好ましくは３３０〜３６０℃の温度で、液空間速度（ＬＨＳＶ）０．１〜５ｈ-1、好ましくは０．５〜１．５ｈ-1の条件で、水素化処理した後、必要に応じて流動性向上剤等を配合して得られる。
また、他の軽油基材を用いて、前記した性状を満たすように適宜配合することにより任意の方法で調製することができる。この際の軽油基材としては、例えば、脱硫灯油（ＵＦＴ−ＫＥＲＯ）、水素化分解軽油（ＨＣＧＯ）、接触分解軽油（ＬＣＯ）、脱硫重質ナフサ（ＤＨＮ）、脱ろう脱硫軽油（ＤＷＤＬＧＯ）、直脱軽油（ＤＳＧＯ）、間脱軽質軽油（ＶＨＬＧＯ）、特開平６−１５８０５８号に代表される公報に記載されたフィッシャー・トロプッシュ合成により製造される灯油留分及び軽油留分などが挙げられる。これらの基材を１ 種又は２ 種以上を混合して製造できるし、また直留軽油（ＬＧＯ）及び／又は軽質減圧軽油（ＬＶＧＯ）にこれらの基材を１ 種又は２ 種以上を混合してから、上記の条件で水素化処理して製造してもよい。
【００１４】
本発明の軽油組成物には、曇り点、流動点の改善や含有するワックスの含有率を減少させるために、脱硫灯油（ＵＦＴ−ＫＥＲＯ）を配合することもできる。脱硫灯油は、常圧蒸留装置から得られた灯油留分を水素化脱硫処理したものである。脱硫灯油は、好ましくは直留軽油及び軽質減圧軽油から得られた組成物に対して５〜７０容量％、より好ましくは１０〜４０容量％ 配合される。
【００１５】
本発明の軽油組成物には、必要に応じて、各種の添加剤を適宜配合することができる。この添加剤としては、流動性向上剤、セタン価向上剤、清浄剤、防錆剤、消泡剤、酸化防止剤、金属不活性化剤、色相安定剤などが挙げられる。
流動性向上剤としては、種々の低温流動性向上剤が使用でき、例えばアルケニルコハク酸アミド、エチレン− 酢酸ビニル共重合体、エチレン− アルキルアクリレート共重合体、ポリエチレングリコール誘導体などの共重合系ポリマー、塩素化ポリエチレン、ポリアルキルアクリレートなどのポリマーなどが挙げられる。中でも、エチレン−酢酸ビニル共重合体が好ましい。これらの流動性向上剤は、１種単独で用いてもよいし、２種以上を組合せて用いてもよい。流動性向上剤の配合量は、流動性向上剤の機能が適切に発現する観点、及び流動性向上剤自体が自動車のフィルターを閉塞する不具合を避ける観点から、軽油組成物中に好ましくは１００〜１０００容量ｐｐｍ、より好ましくは３００〜６００容量ｐｐｍ含有される量である。
【００１６】
セタン価向上剤としては、種々のセタン価向上剤が使用でき、例えば２−クロロエチルナイトレート、２−エトキシエチルナイトレート、イソプロピルナイトレート、ブチルナイトレート、第一アミルナイトレート、第二アミルナイトレート、イソアミルナイトレート、第一ヘキシルナイトレート、第二ヘキシルナイトレート、ｎ−ヘプチルナイトレート、ｎ−オクチルナイトレート、２−エチルヘキシルナイトレート、シクロヘキシルナイトレート、エチレングリコールジナイトレートなどの種々のナイトレートやジ−ｔ−ブチルペルオキシドなど種々の過酸化物が挙げられ、好ましくは炭素数６ 又は８のアルキルナイトレートが挙げられる。これらのセタン価向上剤は、１種単独で用いてもよいし、２種以上を組み合わせて用いてもよい。セタン価向上剤の配合量は、適宜選定すれば良いが、軽油組成物に対して１００〜１０００容量ｐｐｍ配合することが好ましい。
【００１７】
清浄剤としては、種々の清浄剤が使用でき、例えばイミド系化合物； ポリブテニルコハク酸無水物とエチレンポリアミン類とから合成されるポリブテニルコハク酸イミドなどのアルケニルコハク酸イミド； ペンタエリスリトールなどの多価アルコールとポリブテニルコハク酸無水物から合成されるポリブテニルコハク酸エステルなどのコハク酸エステル；ジアルキルアミノエチルメタクリレート、ポリエチレングリコールメタクリレート、ビニルピロリドンなどとアルキルメタクリレートとのコポリマーなどの共重合系ポリマーなどの無灰清浄剤などが挙げられ、好ましくはアルケニルコハク酸イミドである。これらの清浄剤は、１種単独で用いてもよいし、２種以上を組み合わせて用いてもよい。清浄剤の配合量は、適宜選定すれば良いが、軽油組成物に対して４５０〜２０００容量ｐｐｍ配合することが好ましい。
【００１８】
防錆剤としては、種々の防錆剤が使用でき、例えばステアリン酸などのモノカルボン酸、アルキル又はアルケニルコハク酸などのジカルボン酸などのカルボン酸； 脂肪酸、ナフテン酸、アビエチン酸、ラノリン脂肪酸、アルケニルコハク酸、アミノ酸誘導体などのカルボン酸のアルカリ土類金属塩、アルミニウム、亜鉛、鉛などの各種金属元素塩、アミン塩などのカルボン酸塩； 石油スルホン酸、ジノニルナフタレンスルホン酸、重質アルキルベンゼンスルホン酸などのスルホン酸のアルカリ金属塩、アルカリ土類金属塩、アミン塩などのスルホン酸塩； ソルビトール、ペンタエリスリトール、ショ糖、グリセリンなどの多価アルコールとオレイン酸、ラウリル酸などのカルボン酸との部分エステルなどのカルボン酸エステル； 高級脂肪族アルコールなどのアルコール； シクロヘキシルアミン、モルホリン、アルコキシフェニルアミン、ジエタノールアミン誘導体、アミノアルコール、ロジンアミンのエチレンオキサイド付加物などのアミン； リン酸などの極性基を主あるいは副極性基として有する油溶性界面活性剤などが挙げられる。これらの防錆剤の内、好ましいものは、無灰タイプのアミノ基を有するものである。これらの防錆剤は、１種単独で用いてもよいし、２種以上を組み合わせて用いてもよい。防錆剤の配合量は、適宜選定すれば良いが、軽油組成物に対して２〜１００容量ｐｐｍ配合することが好ましい。
【００１９】
消泡剤としては、種々の消泡剤が使用でき、例えばポリジメチルシロキサン、ジメチルシロキサンとトリフルオロプロピルメチルシロキサンとの共重合物、ジメチルシロキサンとオキシエチレンとの共重合物などのシリコーンポリマーが挙げられ、好ましくはジメチルシロキサンとオキシエチレンとの共重合物が挙げられる。これらの消泡剤は、１種単独で用いてもよいし、２種以上を組み合わせて用いてもよい。消泡剤の配合量は、適宜選定すれば良いが、軽油組成物に対して３〜２０容量ｐｐｍ配合することが好ましい。
【００２０】
酸化防止剤としては、種々の酸化防止剤が使用でき、例えばＮ，Ｎ ’−ジイソプロピル−ｐ−フェニレンジアミン、Ｎ，Ｎ ’−ジ−ｓｅｃ−ブチル−ｐ− フェニレンジアミンのようなアミン；２，６−ジ−ｔｅｒｔ−ブチル−４−メチルフェノール、２，４−ジメチル−６−ｔｅｒｔ−ブチルフェノール、２，６−ジ−ｔｅｒｔ−ブチルフェノールのようなフェノールなどが挙げられる。これらの酸化防止剤は、１種単独で用いてもよいし、２種以上を組み合わせて用いてもよい。酸化防止剤の配合量は、適宜選定すれば良いが、軽油組成物に対して１０〜６０容量ｐｐｍ配合することが好ましい。
【００２１】
金属不活性化剤としては、種々の金属不活性化剤が使用でき、例えばＮ，Ｎ ’−ジサリチリデン−１，２−ジアミノプロパンなどが挙げられる。これらの金属不活性化剤は、１種単独で用いてもよいし、２種以上を組み合わせて用いてもよい。金属不活性化剤の配合量は、適宜選定すれば良いが、軽油組成物に対して２〜２０容量ｐｐｍ配合することが好ましい。
【００２２】
色相安定剤としては、種々の色相安定剤が使用でき、例えば清浄剤としての機能をも有するアルケニルコハク酸イミドや、その他アントラキノン、ヒドラジンなどが挙げられる。これらの色相安定剤は、１種単独で用いてもよいし、２種以上を組み合わせて用いてもよい。色相安定剤の配合量は、適宜選定すれば良いが、軽油組成物に対して１０〜１０００容量ｐｐｍ配合することが好ましい。
【実施例】
【００２３】
以下、実施例及び比較例によりさらに具体的に本発明を説明するが、本発明は以下の実施例に限定されるものではない。
【００２４】
実施例１
中東系の原油から常圧蒸留により得た軽油留分（直留軽油、蒸留カットレンジ１７０〜３７０℃）を原料油とし、該原料油を水素化脱硫触媒として市販触媒（Ｃｏ−Ｍｏ系）を用いて水素化処理して、脱硫軽油組成物を得た。その諸性状を表１に示した。
【００２５】
実施例２
中東系の原油（ただし実施例１とは原油種が異なる）から常圧蒸留により得た軽油留分（直留軽油、蒸留カットレンジ１７０〜３８０℃）を原料油とし、該原料油を水素化脱硫触媒として市販触媒（Ｃｏ−Ｍｏ系）を用いて水素化処理して、脱硫軽油組成物を得た。その諸性状を表１に示した。
【００２６】
実施例３
実施例１で得た脱硫軽油組成物に、中東系の原油から常圧蒸留により得た灯油留分（直留灯油、蒸留カットレンジ１６０〜３７０℃）を原料油として、該原料油を水素化脱硫触媒として市販触媒（Ｃｏ−Ｍｏ系）を用いて水素化処理して得られた脱硫灯油（蒸留カットレンジ１５０〜３５０℃）を１０容量％混合して、脱硫軽油組成物を得た。その諸性状を表１に示した。
【００２７】
実施例４
中東系の原油から常圧蒸留により得た軽油留分（直留軽油、蒸留カットレンジ１６０〜３７０℃）に、中東系の原油から減圧蒸留により得た軽油留分（軽質減圧軽油、蒸留カットレンジ１６０〜３７０℃）を１０容量％混合したものを原料油とし、該原料油を水素化脱硫触媒として市販触媒（Ｃｏ−Ｍｏ系）を用いて水素化処理して、脱硫軽油組成物を得た。その諸性状を表１に示した。
【００２８】
実施例５
中東系の原油から常圧蒸留により得た軽油留分（直留軽油、蒸留カットレンジ１７０〜３６０℃）に、中東系原油から常圧蒸留により得た軽油留分以上の高沸点留分を接触分解して得られた接触分解軽油（ＬＣＯ）を１０容量％混合したものを原料油とし、該原料油を水素化脱硫触媒として市販触媒（Ｃｏ−Ｍｏ系）を用いて水素化処理して、脱硫軽油組成物を得た。その諸性状を表１に示した。
【００２９】
実施例６
中東系の原油から常圧蒸留により得た軽油留分（直留軽油、蒸留カットレンジ１７０〜３７０℃）を原料油とし、該原料油を水素化脱硫触媒として市販触媒（Ｃｏ−Ｍｏ系）を用い水素化処理して得られた脱硫軽油に、フィッシャー・トロプシュ合成により得た炭素数３０以上のワックス分を水素化分解触媒として市販触媒（Ｐｔ系）を用いて水素化分解した後、蒸留して得た軽油留分（蒸留カットレンジ２００〜３５０℃）を１０容量％混合して、脱硫軽油組成物を得た。その諸性状を表１に示した。
【００３０】
比較例１
中東系の原油から常圧蒸留により得た軽油留分（直留軽油、蒸留カットレンジ１７０〜３６０℃）を原料油とし、該原料油を水素化脱硫触媒として市販触媒（Ｃｏ−Ｍｏ系）を用い水素化処理して、脱硫軽油組成物を得た。その諸性状を表１に示した。
【００３１】
比較例２
実施例６で得た脱硫軽油組成物に、ｎ−ドデシルメルカプタン（東京化成工業製、市販試薬）を所定量添加し、メルカプタン類の硫黄分を２．２質量ｐｐｍに調整した脱硫軽油組成物を得た。その諸性状を表１に示した。
【００３２】
上記実施例、比較例で調製した軽油組成物について、５０℃で３時間の銅板腐食試験及び１４９℃で２４時間の銅板腐食試験を行った。その結果を表１に示した。
５０℃で３時間の銅板腐食試験結果が、２以上であるか、又は１４９℃で２４時間の銅板腐食試験結果が４以上であると、燃料噴射系統で腐食が発生し、環境への影響を低減するための精密な運転制御を長期間持続することが不可能になる恐れがある。
【００３３】
【表１】
2008001751.tif 000002
【００３４】
表１から明らかなように、ｎ−デシルメルカプタン（１−デカンチオール）より重質でジベンゾチオフェンより軽質な硫黄化合物の硫黄分が０．４質量ｐｐｍを超える比較例１では、１４９℃で２４時間の銅板腐食試験が４に悪化する。また、メルカプタン類の硫黄分が２質量ｐｐｍを超える比較例２でも、１４９℃で２４時間の銅板腐食試験が４に悪化することがわかる。